(57)【要約】【課題】スループットの低下を抑えること。【解決手段】検出部１１１は、自装置の接続セルの切り替えの後に、切り替え先のセルの電波状態が不安定であることを検出する。記憶部１１２は、検出部１１１によって電波状態が不安定であることが検出されたときの状況を示す状況情報を記憶する。制御部１１３は、自装置の状況が記憶部１１２によって記憶された状況情報が示す状況となった場合に接続セルの切り替えを抑制する制御を行う。【選択図】図１Ｂ
2015211451.tif 000002
【特許請求の範囲】
【請求項１】
自装置の接続セルの切り替えの後に、切り替え先のセルの電波状態が不安定であることを検出する検出部と、
前記検出部によって前記電波状態が不安定であることが検出されたときの状況を示す状況情報を記憶する記憶部と、
自装置の状況が、前記記憶部によって記憶された前記状況情報が示す状況となった場合に、前記接続セルの切り替えを抑制する制御を行う制御部と、
を備えることを特徴とする端末装置。
【請求項２】
前記制御部は、自装置が接続中の第１セルの電界強度より、前記第１セルとは異なる第２セルの電界強度が第１閾値以上高い状態の継続時間が第２閾値以上となると、前記接続セルの前記第２セルへの切り替えを実行し、
前記接続セルの切り替えを抑制する制御は、前記第１閾値および前記第２閾値の少なくともいずれかを増加させる制御である、
ことを特徴とする請求項１に記載の端末装置。
【請求項３】
前記状況情報は、前記切り替え先のセルを含み、
前記接続セルの切り替えを抑制する制御は、自装置の接続セルの切り替えにおいて、切り替え先のセルの候補から前記記憶部に記憶された前記切り替え先のセルを除外する制御である、
ことを特徴とする請求項１または２に記載の端末装置。
【請求項４】
前記検出部は、前記接続セルの切り替えの失敗を検出し、
前記記憶部は、前記検出部によって前記失敗が検出されたときの状況を示す状況情報を記憶する、
ことを特徴とする請求項１〜３のいずれか一つに記載の端末装置。
【請求項５】
前記検出部は、前記接続セルの切り替えの後に、切り替え先のセルの電波状態が安定していることを検出し、
前記記憶部は、前記検出部によって前記電波状態が安定していることが検出されたときの状況を示す状況情報と前記切り替え先のセルとを対応付けて記憶し、
前記制御部は、自装置の状況が、前記電波状態が安定していることが検出されたときの状況を示す状況情報が示す状況となった場合に、前記電波状態が安定していることが検出されたときの状況を示す状況情報と対応付けて前記記憶部によって記憶されたセルに前記接続セルを切り替える、
ことを特徴とする請求項１〜４のいずれか一つに記載の端末装置。
【請求項６】
前記記憶部は、前記状況情報（以下、「第１状況情報」とする。）と、他の端末装置が、接続セルの切り替えの後に、切り替え先のセルの電波状態が不安定であることを検出したときの状況を示す第２状況情報と、を記憶することを特徴とする請求項１〜５のいずれか一つに記載の端末装置。
【請求項７】
無線通信が可能なセルを形成する基地局装置と、
前記基地局装置への自装置の接続セルの切り替えの後に、切り替え先のセルの電波状態が不安定であることを検出したときの状況を示す状況情報を記憶し、自装置の状況が、前記状況情報が示す状況となった場合に、前記接続セルの切り替えを抑制する制御を行う端末装置と、
を含むことを特徴とするシステム。
【請求項８】
自装置の接続セルの切り替えの後に、切り替え先のセルの電波状態が安定しており、かつ自装置の周辺セルの数が所定数以上であることを検出する検出部と、
前記電波状態が安定しており、かつ自装置の周辺セルの数が所定数以上であることが前記検出部によって検出されたときの状況を示す状況情報を記憶する記憶部と、
自装置の状況が、前記記憶部によって記憶された前記状況情報が示す状況となった場合に、前記接続セルの切り替えを抑制する制御を行う制御部と、
を備えることを特徴とする端末装置。
【請求項９】
無線通信が可能なセルを形成する基地局装置と、
前記基地局装置への自装置の接続セルの切り替えの後に、切り替え先のセルの電波状態が安定しており、かつ自装置の周辺セルの数が所定数以上であることを検出したときの状況を示す状況情報を記憶し、自装置の状況が、前記状況情報が示す状況となった場合に、前記接続セルの切り替えを抑制する制御を行う端末装置と、
を含むことを特徴とするシステム。
【発明の詳細な説明】
【技術分野】
【０００１】
本発明は、端末装置およびシステムに関する。
【背景技術】
【０００２】
従来、セルラ移動システムにおいて、移動しながら通信を確保するために接続基地局（セル）を切り替えるハンドオフ（ハンドオーバ）が知られている（たとえば、下記特許文献１〜５参照。）。ハンドオフは、たとえば、移動端末における各セルの電界強度の測定結果を比較することによって行われる。
【先行技術文献】
【特許文献】
【０００３】
【特許文献１】特開２００８−２７８０４７号公報
【特許文献２】特開２０００−３３２６７５号公報
【特許文献３】特開２００９−１１８１９７号公報
【特許文献４】特開２００１−１６９３２３号公報
【特許文献５】特開２０１０−９３６３９号公報
【発明の概要】
【発明が解決しようとする課題】
【０００４】
しかしながら、上述した従来技術では、電界強度が強いセルを切り替え先に選択しても、切り替え先のセルの電波状態が不安定である場合がある。この場合は、たとえば再度のセル切り替えや通信の切断などが発生し、スループットが低下するという問題がある。
【０００５】
１つの側面では、本発明は、スループットの低下を抑えることができる端末装置およびシステムを提供することを目的とする。
【課題を解決するための手段】
【０００６】
上述した課題を解決し、目的を達成するため、本発明の一側面によれば、端末装置が、自装置の接続セルの切り替えの後に、切り替え先のセルの電波状態が不安定であることを検出したときの状況を示す状況情報を記憶し、自装置の状況が、前記状況情報が示す状況となった場合に、前記接続セルの切り替えを抑制する制御を行う端末装置およびシステムが提案される。
【０００７】
また、本発明の別の側面によれば、端末装置が、自装置の接続セルの切り替えの後に、切り替え先のセルの電波状態が安定しており、かつ自装置の周辺セルの数が所定数以上であることを検出したときの状況を示す状況情報を記憶し、自装置の状況が、前記状況情報が示す状況となった場合に、前記接続セルの切り替えを抑制する制御を行う端末装置およびシステムが提案される。
【発明の効果】
【０００８】
本発明の一側面によれば、スループットの低下を抑えることができるという効果を奏する。
【図面の簡単な説明】
【０００９】
【図１Ａ】図１Ａは、実施の形態１にかかるシステムおよび端末装置の一例を示す図である。
【図１Ｂ】図１Ｂは、図１Ａに示したシステムおよび端末装置における信号の流れの一例を示す図である。
【図２Ａ】図２Ａは、実施の形態２にかかる移動通信端末の一例を示す図である。
【図２Ｂ】図２Ｂは、移動通信端末のハードウェア構成の一例を示す図である。
【図３】図３は、状況パターン特定用テーブルの一例を示す図である。
【図４】図４は、セル選択・パラメータ補正パターンテーブルの一例を示す図である。
【図５】図５は、状況テーブルの一例を示す図である。
【図６】図６は、移動通信端末によるセル切り替え処理の一例を示すフローチャートである。
【図７】図７は、パラメータＸ／Ｙの補正処理および在圏指定／除外セルの確認処理の一例を示すフローチャートである。
【図８】図８は、在圏安定確認処理の一例を示すフローチャートである。
【図９】図９は、在圏安定確認処理の変形例を示すフローチャートである。
【図１０Ａ】図１０Ａは、各テーブルの集約の一例を示す図である。
【図１０Ｂ】図１０Ｂは、各テーブルの配信の一例を示す図である。
【発明を実施するための形態】
【００１０】
以下に図面を参照して、本発明にかかる端末装置およびシステムの実施の形態を詳細に説明する。
【００１１】
（実施の形態１）
（実施の形態１にかかるシステムおよび端末装置）
図１Ａは、実施の形態１にかかるシステムおよび端末装置の一例を示す図である。図１Ｂは、図１Ａに示したシステムおよび端末装置における信号の流れの一例を示す図である。図１Ａ，図１Ｂに示すように、実施の形態１にかかるシステム１００は、端末装置１１０と、基地局装置１２０と、を含む通信システムである。基地局装置１２０は、端末装置１１０との間で無線通信が可能なセルを形成する。
【００１２】
端末装置１１０は、基地局装置１２０が形成するセルを含む各周辺セルの中から選択したセルに接続し、接続したセルによって無線通信を行う。たとえば、端末装置１１０は、各周辺セルの端末装置１１０における電界強度を測定し、各測定結果の比較結果に基づいて接続セルを選択する。
【００１３】
また、端末装置１１０は、たとえば、端末装置１１０の移動や無線環境の変動に応じて、接続するセル（接続セル）の切り替え（ハンドオフ）を行う。図１Ａ，図１Ｂに示す例では、端末装置１１０は、基地局装置１２０が形成するセルへの切り替えを行ったとする。端末装置１１０は、検出部１１１と、記憶部１１２と、制御部１１３と、を備える。
【００１４】
検出部１１１は、端末装置１１０（自装置）の接続セルの切り替えの後に、切り替え先のセルの電波状態が不安定であることを検出する。図１Ａ，図１Ｂに示す例では、検出部１１１は、基地局装置１２０のセルの電波状態が不安定であることを検出する。一例としては、検出部１１１は、切り替え先のセルにおける端末装置１１０の通信断や電界強度の低下などを検出することにより、切り替え先のセルの電波状態が不安定であることを検出する。検出部１１１は、検出結果を記憶部１１２へ通知する。
【００１５】
記憶部１１２は、端末装置１１０の切り替え先のセルの電波状態が不安定であることが検出部１１１によって検出された場合に、そのときの状況を示す状況情報を記憶する。状況情報には、たとえば、端末装置１１０に関する状況を示す情報であって、端末装置１１０において取得可能な情報であれば、各種の状況を示す情報を用いることができる。
【００１６】
制御部１１３は、自装置の状況を特定する。そして、制御部１１３は、特定した状況が、記憶部１１２によって記憶された状況情報が示す状況となった場合に、端末装置１１０の接続セルの切り替えを抑制する制御を行う。
【００１７】
たとえば、制御部１１３は、電波状態が不安定であることが検出部１１１によって検出されたセルから他のセルへ端末装置１１０が接続セルを切り替えた後に、自装置の状況を特定および接続セルの切り替えを抑制する制御を行う。
【００１８】
このように、実施の形態１によれば、切り替え先のセルの電波状態が不安定だった場合に各種の状況を記憶しておき、再度同じ状況になった際にセル切り替えを抑制することができる。これにより、電波状態が不安定なセルへの切り替えを抑制し、スループットの低下を抑えることができる。
【００１９】
＜接続セルの切り替えを抑制する制御の例１＞
たとえば、端末装置１１０は、端末装置１１０が接続中の第１セル（サービングセル）の第１電界強度と、第１セルとは異なる第２セルの第２電界強度と、を測定する。そして、端末装置１１０は、第１電界強度より第２電界強度が第１パラメータ以上高い状態の継続時間が第２パラメータ以上となると、端末装置１１０の接続セルの第２セルへの切り替えを実行する。
【００２０】
この場合に、接続セルの切り替えを抑制する制御は、第１パラメータおよび第２パラメータの少なくともいずれかを増加させる制御とすることができる。これにより、第１電界強度より第２電界強度が第１パラメータ以上高い状態の継続時間が第２パラメータ以上となるという条件を満たしにくくなり、接続セルの切り替えを抑制することができる。
【００２１】
一例としては、第１パラメータおよび第２パラメータは、基地局装置１２０などの基地局が報知するＸパラメータおよびＹパラメータである。
【００２２】
＜接続セルの切り替えを抑制する制御の例２＞
上述した状況情報は、端末装置１１０の切り替え先のセルの識別情報を含んでもよい。この場合に、接続セルの切り替えを抑制する制御は、端末装置１１０の接続セルの切り替えにおいて、切り替え先のセルの候補から、状況情報に含まれる識別情報が示すセルを除外する制御とすることができる。過去の同じ状況で切り替え先に選択したセルを切り替え先のセルの候補から除外することで、接続セルの切り替えを抑制することができる。
【００２３】
＜接続セルの切り替えの失敗の検出＞
検出部１１１は、接続セルの切り替えの失敗をさらに検出してもよい。この場合に、記憶部１１２は、接続セルの切り替えの失敗が検出部１１１によって検出されたときの状況を示す状況情報を記憶する。これにより、接続セルの切り替えに失敗した場合に各種の状況を記憶しておき、再度同じ状況になった際にセル切り替えを抑制することができる。
【００２４】
＜切り替え先のセルの電波状態が安定していることの検出＞
検出部１１１は、接続セルの切り替えの後に、切り替え先のセルの電波状態が安定していることをさらに検出してもよい。この場合に、記憶部１１２は、検出部１１１によって電波状態が安定していることが検出されたときの状況を示す状況情報と切り替え先のセルとを対応付けて記憶する。制御部１１３は、自装置の状況が、該状況情報が示す状況となった場合に、自装置の接続セルを、記憶部１１２によって該状況情報と対応付けて記憶されたセルに切り替える。
【００２５】
これにより、切り替え先のセルの電波状態が安定していた場合に各種の状況を記憶しておき、再度同じ状況になった際に同じセルへのセル切り替えを行うことができる。このため、電波状態が安定したセルに切り替え、スループットの向上を図ることができる。
【００２６】
＜他の端末装置の状況情報＞
記憶部１１２は、上述した自装置の状況情報（以下、「第１状況情報」とする。）に加えて、他の端末装置の同様の第２状況情報を記憶していてもよい。この第２状況情報は、該他の端末装置が、端末装置１１０と同様に、接続セルの切り替えの後に、切り替え先のセルの電波状態が不安定であることを検出したときの状況を示す情報である。
【００２７】
これにより、端末装置１１０は、他の端末装置が接続セルの切り替えの後に切り替え先のセルの電波状態が不安定となったときの状況と同じ状況になった場合にセル切り替えを抑制することができる。
【００２８】
たとえば、端末装置１１０は、他の端末装置の第２状況情報をサーバから受信する受信部を備える。記憶部１１２は、該受信部によって受信された第２状況情報を記憶する。このとき、端末装置１１０は、端末装置１１０の第１状況情報を該サーバに送信する送信部を備えていてもよい。これにより、他の端末装置も端末装置１１０の第１状況情報を該サーバから受信して利用することができる。
【００２９】
また、記憶部１１２は、端末装置の性能を示すパラメータが端末装置１１０と同じ他の端末装置についての第２状況情報を記憶し、該パラメータが端末装置１１０と異なる他の端末装置についての第２状況情報は記憶しないようにしてもよい。端末装置の性能を示すパラメータは、たとえば端末装置のスペックや機種などである。
【００３０】
これにより、端末装置１１０が同じ状況になった場合において接続セルの切り替えの後に通信が不安定になる可能性が低い第２状況情報については記憶しないようにすることができる。このため、電波状態が不安定なセルへの切り替えを精度よく抑制することができる。また、記憶部１１２が記憶する第２状況情報のデータ量を低減することができる。
【００３１】
＜状況情報と制御内容との対応付け＞
たとえば、記憶部１１２は、状況情報と、状況情報に対応する接続セルの切り替えを抑制する制御の内容と、を対応付けて記憶してもよい。制御部１１３は、端末装置１１０の状況が、状況情報が示す状況となった場合に、該当する状況情報に対応付けられた制御を行う。これにより、接続セルの切り替えの後に通信が不安定になる各状況のそれぞれについて、接続セルの切り替えを抑制する制御の内容を設定することができる。このため、より柔軟に制御の内容を設定することができる。
【００３２】
この場合に、制御部１１３は、自装置の状況が複数の状況情報に該当した場合に、複数の状況情報に対応する各制御を行うようにしてもよい。さらに、この場合に、制御部１１３は、複数の状況情報に対応する各制御によるパラメータの合計変化量が上限量を超える場合は、パラメータを該上限量だけ変化させるようにしてもよい。
【００３３】
＜変形例＞
検出部１１１は、端末装置１１０の接続セルの切り替えの後に、切り替え先のセルの電波状態が安定しており、かつ自装置の周辺セルの数が所定数以上であることを検出してもよい。この場合に、記憶部１１２は、切り替え先のセルの電波状態が安定しており、かつ自装置の周辺セルの数が所定数以上であることが検出部１１１によって検出されたときの状況を示す状況情報を記憶する。
【００３４】
制御部１１３は、端末装置１１０の状況が、記憶部１１２によって記憶された状況情報が示す状況となった場合に、端末装置１１０の接続セルの切り替えを抑制する制御を行う。これにより、通信が安定したセルへ切り替えた後に、周辺セルの数が多い場合に、セル切り替えを抑制し、周辺セルの数が多いことによるセル切り替えの頻発（処理のバタつき）を抑えることができる。
【００３５】
また、検出部１１１は、切り替え先のセルの電波状態が不安定であることの検出と、切り替え先のセルの電波状態が安定しておりかつ周辺セルの数が所定数以上であることの検出と、の両方を行ってもよい。
【００３６】
（実施の形態２）
（実施の形態２にかかる移動通信端末）
図２Ａは、実施の形態２にかかる移動通信端末の一例を示す図である。図２Ａに示すように、実施の形態２にかかる移動通信端末２００は、通信部２１０と、位置情報取得部２２０と、表示操作部２３０と、記憶部２４０と、を備える。また、移動通信端末２００は、これらの他にも各種の構成を備えていてもよい。
【００３７】
図１Ａ，図１Ｂに示した端末装置１１０は、たとえば移動通信端末２００によって実現することができる。この場合に、図１Ａ，図１Ｂに示した検出部１１１は、たとえば通信部２１０によって実現することができる。また、図１Ａ，図１Ｂに示した記憶部１１２は、たとえば記憶部２４０によって実現することができる。また、図１Ａ，図１Ｂに示した制御部１１３は、たとえば通信部２１０によって実現することができる。
【００３８】
通信部２１０は、外部の通信装置（たとえば基地局）との間で無線通信を行う。また、通信部２１０は、接続先のセルの切り替えや、接続候補の電界強度の測定なども行う。
【００３９】
位置情報取得部２２０は、移動通信端末２００の現在位置を示す位置情報を取得する。位置情報取得部２２０は、たとえばＧＰＳ（Ｇｌｏｂａｌ  Ｐｏｓｉｔｉｏｎｉｎｇ  Ｓｙｓｔｅｍ：全地球測位システム）などによって実現することができる。また、位置情報取得部２２０は、たとえばＷＬＡＮ（Ｗｉｒｅｌｅｓｓ  Ｌｏｃａｌ  Ａｒｅａ  Ｎｅｔｗｏｒｋ：無線構内通信網）のアクセスポイントから送信されている電波を検知することにより位置情報を取得してもよい。
【００４０】
表示操作部２３０は、移動通信端末２００のユーザに情報を表示する。また、表示操作部２３０は、移動通信端末２００のユーザからの操作を受け付ける。
【００４１】
記憶部２４０は、各種のデータを記憶する。記憶部２４０は、状況パターン特定用テーブル２４１と、セル選択・パラメータ補正パターンテーブル２４２と、状況テーブル２４３と、を記憶する。記憶部２４０が記憶する各テーブルについては後述する（たとえば図３〜図５参照）。
【００４２】
（移動通信端末のハードウェア構成）
図２Ｂは、移動通信端末のハードウェア構成の一例を示す図である。図２Ａに示した移動通信端末２００は、たとえば図２Ｂに示す通信装置２５０によって実現することができる。通信装置２５０は、ＣＰＵ２５１と、メモリ２５２と、ユーザインタフェース２５３と、無線通信インタフェース２５４と、ＧＰＳユニット２５５と、を備える。ＣＰＵ２５１、メモリ２５２、ユーザインタフェース２５３、無線通信インタフェース２５４およびＧＰＳユニット２５５は、バス２５９によって接続される。
【００４３】
ＣＰＵ２５１（Ｃｅｎｔｒａｌ  Ｐｒｏｃｅｓｓｉｎｇ  Ｕｎｉｔ）は、通信装置２５０の全体の制御を司る。メモリ２５２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＣＰＵ２５１のワークエリアとして使用される。補助メモリは、たとえば磁気ディスク、フラッシュメモリなどの不揮発メモリである。補助メモリには、通信装置２５０を動作させる各種のプログラムが記憶されている。補助メモリに記憶されたプログラムは、メインメモリにロードされてＣＰＵ２５１によって実行される。
【００４４】
ユーザインタフェース２５３は、たとえば、ユーザからの操作入力を受け付ける入力デバイスや、ユーザへ情報を出力する出力デバイスなどを含む。入力デバイスは、たとえばキー（たとえばキーボード）などによって実現することができる。出力デバイスは、たとえばディスプレイやスピーカなどによって実現することができる。また、タッチパネルなどによって入力デバイスおよび出力デバイスを実現してもよい。ユーザインタフェース２５３は、ＣＰＵ２５１によって制御される。
【００４５】
無線通信インタフェース２５４は、無線によって通信装置２５０の外部（たとえば基地局）との間で通信を行う通信インタフェースである。無線通信インタフェース２５４は、ＣＰＵ２５１によって制御される。ＧＰＳユニット２５５は、ＧＰＳ衛星を利用して通信装置２５０の位置情報を取得する。ＧＰＳユニット２５５は、ＣＰＵ２５１によって制御される。
【００４６】
図２Ａに示した通信部２１０は、たとえばＣＰＵ２５１および無線通信インタフェース２５４によって実現することができる。図２Ａに示した位置情報取得部２２０は、たとえばＣＰＵ２５１およびＧＰＳユニット２５５によって実現することができる。図２Ａに示した表示操作部２３０は、たとえばユーザインタフェース２５３によって実現することができる。図２Ａに示した記憶部２４０は、たとえばメモリ２５２によって実現することができる。
【００４７】
（状況パターン特定用テーブル）
図３は、状況パターン特定用テーブルの一例を示す図である。図２Ａに示した記憶部２４０には、たとえば図３に示す状況パターン特定用テーブル２４１が記憶される。図３において、Ｄ．Ｃ．（Ｄｏｎ’ｔ  Ｃａｒｅ）は、任意の値を示す。図３に示す例では、状況パターン特定用テーブル２４１は、項目として、状況パターン、優先順位および判断要素を含む。状況パターンは、判断要素の組み合わせを示す。優先順位は、状況パターンに対応する優先順位である。図３に示すように、異なる状況パターンで同一の優先順位が設定されていてもよい。
【００４８】
判断要素は、移動通信端末２００がどのような状況下に置かれているかを特定するための要素であって、移動通信端末２００において取得可能な各パラメータである。図３に示す例では、判断要素には、位置情報と、滞在時間と、時刻・曜日と、高度と、音声通話頻度と、データ通信頻度と、充電時間と、電池残量と、無線ＬＡＮ状態と、セルＩＤと、セル数と、が含まれる。
【００４９】
位置情報は、位置情報取得部２２０によって取得される移動通信端末２００の位置情報である。図３に示す例では、位置情報は、緯度および経度によって位置を示す情報である。滞在時間は、位置情報が示す位置から一定の距離の範囲内に移動通信端末２００が滞在している時間である。
【００５０】
時刻・曜日は、移動通信端末２００の内部時計による時刻および曜日の少なくともいずれかである。高度は、移動通信端末２００が位置する地点の高度（地上高）である。音声通話頻度は、一定の時間内において音声通話が確立した累積時間である。データ通信頻度は、一定の時間内においてデータ通信が確立した累積時間である。
【００５１】
電池残量は、移動通信端末２００のバッテリ残量である。充電時間は、一定の時間内において移動通信端末２００のバッテリが充電された累積時間である。無線ＬＡＮ状態は、移動通信端末２００が接続している無線ＬＡＮのアクセスポイント名や、現在位置において検知された無線ＬＡＮのアクセスポイント名などである。
【００５２】
セルＩＤは、移動通信端末２００の周辺セルのうちの、所定の電界強度以上で測定されるセルの識別情報である。セル数は、移動通信端末２００の周辺セルのうちの、所定の電界強度以上で測定されるセルの数である。
【００５３】
たとえば、優先順位は、移動通信端末２００のユーザの操作によって設定される。また、優先順位は、移動通信端末２００によって自動的に設定されてもよい。たとえば、移動通信端末２００は、自動的に追加した状況パターンの優先順位を第１優先順位（たとえば「２」以下）に設定する。また、移動通信端末２００は、ユーザによって設定された状況パターンの優先順位を、第１優先順位より高い第２優先順位（たとえば「１」）に設定する。これにより、ユーザが設定した状況パターンが、自動的に追加した状況パターンより優先的に適用されるようにすることができる。
【００５４】
状況パターン特定用テーブル２４１は、たとえば、移動通信端末２００の出荷時に予め格納しておいてもよいし、ユーザによる操作、ネットワーク経由での制御、セル切り替えの実績による制御などにより更新可能にしてもよい。ネットワーク経由での制御には、たとえばＳＭＳ（Ｓｈｏｒｔ  Ｍｅｓｓａｇｅ  Ｓｅｒｖｉｃｅ）やサーバからの制御信号の配信などを用いることができる。
【００５５】
（セル選択・パラメータ補正パターンテーブル）
図４は、セル選択・パラメータ補正パターンテーブルの一例を示す図である。図２Ａに示した記憶部２４０には、たとえば図４に示すセル選択・パラメータ補正パターンテーブル２４２が記憶される。図４に示す例では、セル選択・パラメータ補正パターンテーブル２４２は、項目として、状況パターン、補正パターン、適用有無および補正データを含む。状況パターンは、図３に示した状況パターン特定用テーブル２４１の状況パターンに対応するキーである。
【００５６】
補正パターンおよび適用有無は、状況パターンごとに対応する、補正パターンごとの適用の有無である。図４に示す例では、補正パターンは、特定セル在圏指定と、特定セル在圏除外と、パラメータＸ補正と、パラメータＹ補正と、を含む。
【００５７】
特定セル在圏指定は、特定のＩＤを持つセルへ強制的に在圏することを指定する補正パターンである。以下、特定セル在圏指定が指定されたセルを在圏指定セルと称する。特定セル在圏除外は、特定のＩＤを持つセルへの在圏禁止を指定する補正パターンである。以下、特定セル在圏除外が指定されたセルを在圏除外セルと称する。
【００５８】
パラメータＸ補正は、パラメータＸの補正を行う補正パターンである。パラメータＹ補正は、パラメータＹの補正を行う補正パターンである。パラメータＸは、セル切り替えのトリガとなる、在圏セルと周辺セルとの間の電界強度のレベル差である。パラメータＹは、セル切り替えをスタートさせるまでにレベル差がパラメータＸ以上を維持することを要する時間（電界強度差維持タイマ値）である。
【００５９】
すなわち、移動通信端末２００は、在圏セルと周辺セルとの間の電界強度のレベル差がパラメータＸ以上である状態がパラメータＹの時間継続した場合に、周辺セルへの切り替え（ハンドオーバ）を行う。パラメータＸおよびパラメータＹは各セルにおいて報知されている。補正データは、上記の補正パターンに基づき、対象となるセルＩＤや補正量を示すデータである。
【００６０】
図４に示すように、適用有無のフィールドにそれぞれの補正パターンを適用するかどうかを記録することで、１つの状況パターンに対して、複数の補正パターンを適用することが可能である。たとえば、図３に示す例では、状況パターンＣに対して、セルＩＤがＺ３のセルを特定セル在圏除外とし、かつパラメータＹをマイナス＊＊［ｍｓｅｃ］補正する補正パターンが対応付けられている。
【００６１】
セル選択・パラメータ補正パターンテーブル２４２は、たとえば、移動通信端末２００の出荷時に予め格納しておいてもよいし、ユーザによる操作、ネットワーク経由での制御、セル切り替えの実績による制御などにより更新可能にしてもよい。ネットワーク経由での制御には、たとえばＳＭＳやサーバからの制御信号の配信などを用いることができる。
【００６２】
（状況テーブル）
図５は、状況テーブルの一例を示す図である。図２Ａに示した記憶部２４０には、たとえば図５に示す状況テーブル２４３が記憶される。図５に示す例では、状況テーブル２４３は、項目として保持要素を含む。保持要素は、移動通信端末２００の現在の状況を示し、図３に示した状況パターン特定用テーブル２４１の各判断要素に対応する要素である。移動通信端末２００は、たとえば各判断要素を周期的に取得して状況テーブル２４３を更新する。または、移動通信端末２００は、たとえばセル切り替えが発生するごとに各判断要素を周期的に取得して状況テーブル２４３を更新してもよい。
【００６３】
（移動通信端末によるセル切り替え処理）
図６は、移動通信端末によるセル切り替え処理の一例を示すフローチャートである。移動通信端末２００は、セル切り替え処理として、たとえば図６に示す各ステップを実行する。まず、移動通信端末２００は、在圏セルの基地局から無線送信される報知情報より、在圏セルに対応するパラメータＸおよびパラメータＹを取得する（ステップＳ６０１）。
【００６４】
つぎに、移動通信端末２００は、在圏セルの電界強度測定を行う（ステップＳ６０２）。たとえば、移動通信端末２００は、在圏セルからの無線信号に基づくＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などを測定する。そして、移動通信端末２００は、電界強度測定の結果に基づいて、周辺セル数や周辺の各セルの電界強度の測定を行う。また、移動通信端末２００は、電界強度測定の結果に基づいて、周辺の各セルを示す周辺セルリストを生成する。
【００６５】
つぎに、移動通信端末２００は、ステップＳ６０１によって取得したパラメータＸ／Ｙ（パラメータＸおよびパラメータＹ）の補正処理と、在圏指定／除外セル（在圏指定セルおよび在圏除外セル）の確認処理と、を行う（ステップＳ６０３）。ステップＳ６０３における補正処理および確認処理については後述する（たとえば図７参照）。
【００６６】
つぎに、移動通信端末２００は、ステップＳ６０３の確認処理の結果に基づいて、現状の状況と合致する在圏指定セルがあるか否かを判断する（ステップＳ６０４）。在圏指定セルがある場合（ステップＳ６０４：Ｙｅｓ）は、移動通信端末２００は、在圏指定セルへの切り替え（ハンドオーバ）を行い（ステップＳ６０５）、ステップＳ６１５へ移行する。
【００６７】
ステップＳ６０５において、在圏指定セルが複数ある場合は、移動通信端末２００は、たとえば、ステップＳ６０２において測定した電界強度が最も強い在圏指定セルへの切り替えを行う。ただし、この場合の選択方法はこれに限らず、たとえばセルごとに設定された優先度やオフセットなどを考慮した選択としてもよい。
【００６８】
ステップＳ６０４において、在圏指定セルがない場合（ステップＳ６０４：Ｎｏ）は、移動通信端末２００は、ステップＳ６０２において生成した周辺セルリストから、在圏除外セルに関するセル情報を削除する（ステップＳ６０６）。つぎに、移動通信端末２００は、周辺セルリストから最も電界強度の強いセルを切り替え候補セルとして選択する（ステップＳ６０７）。なお、ステップＳ６０７における選択方法はこれに限らず、たとえばセルごとに設定された優先度やオフセットなどを考慮した選択としてもよい。
【００６９】
つぎに、移動通信端末２００は、ステップＳ６０７によって選択した切り替え候補セルと在圏セルの電界強度差が、パラメータＸより大きいか否かを判断する（ステップＳ６０８）。切り替え候補セルと在圏セルの電界強度差は、たとえば切り替え候補セルの電界強度から在圏セルの電界強度を減算した値である。パラメータＸは、ステップＳ６０３においてパラメータＸの補正を行った場合は補正後のパラメータＸである。また、パラメータＸは、ステップＳ６０３においてパラメータＸの補正を行っていない場合はステップＳ６０１によって取得されたパラメータＸである。
【００７０】
ステップＳ６０８において、電界強度差がパラメータＸより大きくない場合（ステップＳ６０８：Ｎｏ）は、移動通信端末２００は、ステップＳ６０２へ戻る。電界強度差がパラメータＸより大きい場合（ステップＳ６０８：Ｙｅｓ）は、移動通信端末２００は、パラメータＹが示す時間を計時するタイマＹをスタートさせる（ステップＳ６０９）。パラメータＹは、ステップＳ６０３においてパラメータＹの補正を行った場合は補正後のパラメータＹである。また、パラメータＹは、ステップＳ６０３においてパラメータＹの補正を行っていない場合はステップＳ６０１によって取得されたパラメータＹである。
【００７１】
つぎに、移動通信端末２００は、在圏セルと切り替え候補セルの電界強度（たとえばＲＳＳＩ）を測定する（ステップＳ６１０）。つぎに、移動通信端末２００は、ステップＳ６１０による測定結果に基づいて、切り替え候補セルと在圏セルの電界強度差が、パラメータＸより大きいか否かを再度判断する（ステップＳ６１１）。
【００７２】
ステップＳ６１１において、電界強度差がパラメータＸより大きくない場合（ステップＳ６１１：Ｎｏ）は、移動通信端末２００は、ステップＳ６０９によってスタートさせたタイマＹをストップさせ（ステップＳ６１２）、ステップＳ６０２へ戻る。
【００７３】
ステップＳ６１１において、電界強度差がパラメータＸより大きい場合（ステップＳ６１１：Ｙｅｓ）は、移動通信端末２００は、ステップＳ６０９によってスタートさせたタイマＹがタイムアウトしたか否かを判断する（ステップＳ６１３）。タイマＹがタイムアウトしていない場合（ステップＳ６１３：Ｎｏ）は、移動通信端末２００は、ステップＳ６１０へ戻る。
【００７４】
ステップＳ６１３において、タイマＹがタイムアウトした場合（ステップＳ６１３：Ｙｅｓ）は、移動通信端末２００は、切り替え候補セルへの切り替え（ハンドオーバ）を行う（ステップＳ６１４）。これにより、切り替え候補セルと在圏セルの電界強度差がパラメータＸを下回ることなくタイマＹがタイムアウトした場合に、切り替え候補セルへのセル切り替えを行うことができる。
【００７５】
つぎに、移動通信端末２００は、ステップＳ６０５，Ｓ６１４による切り替え先のセルの安定性を確認する在圏安定確認処理を行い（ステップＳ６１５）、ステップＳ６０１へ戻る。ステップＳ６１５の在圏安定確認処理については後述する（たとえば図８参照）。
【００７６】
（パラメータＸ／Ｙの補正処理および在圏指定／除外セルの確認処理）
図７は、パラメータＸ／Ｙの補正処理および在圏指定／除外セルの確認処理の一例を示すフローチャートである。図６に示したステップＳ６０３において、パラメータＸ／Ｙ補正および在圏指定／除外セルの確認処理として、移動通信端末２００は、たとえば図７に示す各ステップを実行する。
【００７７】
まず、移動通信端末２００は、記憶部２４０からの状況パターン特定用テーブル２４１および状況テーブル２４３の読み込みを行う（ステップＳ７０１）。つぎに、移動通信端末２００は、パラメータＸ／Ｙの補正量を０で初期化する（ステップＳ７０２）。
【００７８】
つぎに、移動通信端末２００は、ステップＳ７０１によって読み込んだ状況パターン特定用テーブル２４１に、現在の状況と合致するパターンがあるか否かを判断する（ステップＳ７０３）。ステップＳ７０３は、たとえば図５に示した状況テーブル２４３に基づいて行われる。合致するパターンがない場合（ステップＳ７０３：Ｎｏ）は、移動通信端末２００は、図７に示す一連の処理を終了する。
【００７９】
ステップＳ７０３において、合致するパターンがある場合（ステップＳ７０３：Ｙｅｓ）は、移動通信端末２００は、セル選択・パラメータ補正パターンテーブル２４２の読み込みを行う（ステップＳ７０４）。
【００８０】
つぎに、移動通信端末２００は、ステップＳ７０４によって読み出したセル選択・パラメータ補正パターンテーブル２４２に基づいて、現在の状況と合致するパターンに対応したセル選択・パラメータ補正パターンを特定する（ステップＳ７０５）。そして、移動通信端末２００は、特定したセル選択・パラメータ補正パターンが示すパラメータＸ／Ｙの補正量および在圏指定／除外セルを特定する。図６に示したステップＳ６０４，Ｓ６０５は、ステップＳ７０５によって特定した在圏指定／除外セルに基づいて行われる。
【００８１】
つぎに、移動通信端末２００は、ステップＳ７０５によって特定したセル選択・パラメータ補正パターンが示すパラメータＸ／Ｙの補正量が所定の上限値を超えたか否かを判断する（ステップＳ７０６）。パラメータＸ／Ｙの補正量が上限値を超えていない場合（ステップＳ７０６：Ｎｏ）は、移動通信端末２００は、ステップＳ７０８へ移行する。
【００８２】
ステップＳ７０６において、パラメータＸ／Ｙの補正量が上限値を超えた場合（ステップＳ７０６：Ｙｅｓ）は、移動通信端末２００は、パラメータＸ／Ｙの補正量のうちの上限を超えた補正量を上限値に補正する（ステップＳ７０７）。つぎに、移動通信端末２００は、パラメータＸ／Ｙの補正量を、図６に示したステップＳ６０１によって取得したパラメータＸ／Ｙに反映させ（ステップＳ７０８）、図７に示す一連の処理を終了する。
【００８３】
たとえば図３〜図５に示す例では、ステップＳ７０３において、現在の状況と合致するパターンとして「Ａ」が抽出される。このため、ステップＳ７０５において、在圏指定セルとしてセルＩＤがＺ１のセルが抽出される。この場合は、移動通信端末２００は、図６に示したステップＳ６０４，Ｓ６０５によって、セルＩＤがＺ１のセルへの切り替えを行う。
【００８４】
また、ステップＳ７０３において、現在の状況と合致するパターンが複数抽出された場合は、複数のパターンに対応するセル選択・パラメータ補正パターンを複合的に適用してもよい。この場合は、たとえば、図３に示した状況パターン特定用テーブル２４１の優先順位は状況パターン特定用テーブル２４１から省いてもよい。
【００８５】
複数のセル選択・パラメータ補正パターンにパラメータＸ／Ｙの補正が含まれていた場合は、一例としては、各セル選択・パラメータ補正パターンの補正量を加算して適用してもよい。この場合は、上述したステップＳ７０６，Ｓ７０７のように、補正量が所定の上限を超えないように調整してもよい。また、補正量が所定の下限を下回らないように調整してもよい。
【００８６】
または、複数のセル選択・パラメータ補正パターンにパラメータＸ／Ｙの補正が含まれていた場合は、それまでの適用回数が多い方のパターンに基づく補正量を優先して適用してもよい。適用回数は、たとえば図３に示した状況パターン特定用テーブル２４１に項目として追加し、パターンが適当するごとにカウントアップすることで取得することができる。この場合は、ステップＳ７０６，Ｓ７０７を省いた処理としてもよい。
【００８７】
また、複数のセル選択・パラメータ補正パターンに在圏除外セルが含まれていた場合は、一例としては、図６に示したステップＳ６０６において、複数のセル選択・パラメータ補正パターンに含まれる各在圏除外セルに関するセル情報を削除することができる。
【００８８】
また、複数のセル選択・パラメータ補正パターンに在圏指定セルが含まれていた場合は、一例としては、上述のように、図６に示したステップＳ６０５において、各在圏指定セルのうちの電界強度の最も強いセルを選択することができる。
【００８９】
また、複数のセル選択・パラメータ補正パターンにおいて、同一のセルが在圏指定セルと在圏除外セルの両方に指定されていた場合は、一例としては、その両方のパターンを除外して、現在の状況と合致するパターンの抽出を再度行うことができる。
【００９０】
または、ステップＳ７０３において、現在の状況と合致するパターンが複数抽出された場合は、複数のパターンのうちの、図３に示した優先順位が最も高いパターンに対応するセル選択・パラメータ補正パターンを適用してもよい。
【００９１】
（在圏安定確認処理）
図８は、在圏安定確認処理の一例を示すフローチャートである。移動通信端末２００は、図６に示したステップＳ６１５の在圏安定確認処理として、たとえば図８に示す各ステップを実行する。
【００９２】
まず、移動通信端末２００は、図６に示したステップＳ６０５またはステップＳ６１４によるセルの切り替えが成功したか否かを判断する（ステップＳ８０１）。切り替えが成功していない場合（ステップＳ８０１：Ｎｏ）は、切り替え先のセルの電波状態が不安定であると判断することができる。この場合は、移動通信端末２００は、状況パターン特定用テーブル２４１に、現在の状況と合致するパターンがあるか否かを判断する（ステップＳ８０２）。
【００９３】
ステップＳ８０２において、合致するパターンがある場合（ステップＳ８０２：Ｙｅｓ）は、移動通信端末２００は、ステップＳ８０４へ移行する。合致するパターンがない場合（ステップＳ８０２：Ｎｏ）は、移動通信端末２００は、状況パターン特定用テーブル２４１に、現在の状況を示す新規状況パターンを追加する（ステップＳ８０３）。たとえば、移動通信端末２００は、状況パターン特定用テーブル２４１に、現在の状況テーブル２４３の内容を新規状況パターンとして追加する。
【００９４】
つぎに、移動通信端末２００は、セル選択・パラメータ補正パターンテーブル２４２のうちの現在の状況と合致するパターンに切り替え先のセルを在圏除外セルとして追加し（ステップＳ８０４）、図８に示す一連の処理を終了する。
【００９５】
ステップＳ８０１において、切り替えが成功した場合（ステップＳ８０１：Ｙｅｓ）は、移動通信端末２００は、在圏安定確認用のタイマＴをスタートさせる（ステップＳ８０５）。タイマＴは、たとえば予め設定された所定の時間を計時するタイマである。
【００９６】
つぎに、移動通信端末２００は、再度のセル切り替えが発生したか否かを判断する（ステップＳ８０６）。再度のセル切り替えが発生した場合（ステップＳ８０６：Ｙｅｓ）は、図６に示したステップＳ６０５またはステップＳ６１４による切り替え先のセルの電波状態が不安定であると判断することができる。この場合は、移動通信端末２００は、ステップＳ８０２へ移行する。
【００９７】
ステップＳ８０６において、再度のセル切り替えが発生していない場合（ステップＳ８０６：Ｎｏ）は、移動通信端末２００は、通信の切断が発生したか否かを判断する（ステップＳ８０７）。通信の切断はたとえば回線交換呼の切断である。切断が発生した場合（ステップＳ８０７：Ｙｅｓ）は、切り替え先のセルの電波状態が不安定であると判断することができる。この場合は、移動通信端末２００は、ステップＳ８０２へ移行する。
【００９８】
ステップＳ８０７において、切断が発生していない場合（ステップＳ８０７：Ｎｏ）は、移動通信端末２００は、ステップＳ８０５によってスタートさせたタイマＴがタイムアウトしたか否かを判断する（ステップＳ８０８）。タイマＴがタイムアウトしていない場合（ステップＳ８０８：Ｎｏ）は、移動通信端末２００は、ステップＳ８０６へ戻る。
【００９９】
ステップＳ８０８において、タイマＴがタイムアウトした場合（ステップＳ８０８：Ｙｅｓ）は、切り替え先のセルの電波状態が安定していると判断することができる。この場合は、移動通信端末２００は、測定可能セル数が所定の閾値ｎより大きいか否かを判断する（ステップＳ８０９）。測定可能セル数は、たとえばステップＳ６０２によって測定した周辺セル数である。
【０１００】
ステップＳ８０９において、測定可能セル数が閾値ｎより大きくない場合（ステップＳ８０９：Ｎｏ）は、移動通信端末２００は、状況パターン特定用テーブル２４１に、現在の状況と合致するパターンがあるか否かを判断する（ステップＳ８１０）。合致するパターンがある場合（ステップＳ８１０：Ｙｅｓ）は、移動通信端末２００は、ステップＳ８１２へ移行する。
【０１０１】
ステップＳ８１０において、合致するパターンがない場合（ステップＳ８１０：Ｎｏ）は、移動通信端末２００は、状況パターン特定用テーブル２４１に、現在の状況を示す新規状況パターンを追加する（ステップＳ８１１）。たとえば、移動通信端末２００は、状況パターン特定用テーブル２４１に、現在の状況テーブル２４３の内容を新規状況パターンとして追加する。
【０１０２】
つぎに、移動通信端末２００は、セル選択・パラメータ補正パターンテーブル２４２のうちの現在の状況と合致するパターンに、切り替え先のセルを在圏指定セルとして追加し（ステップＳ８１２）、図８に示す一連の処理を終了する。
【０１０３】
ステップＳ８０９において、測定可能セル数が閾値ｎより大きい場合（ステップＳ８０９：Ｙｅｓ）は、移動通信端末２００は、状況パターン特定用テーブル２４１に、現在の状況と合致するパターンがあるか否かを判断する（ステップＳ８１３）。合致するパターンがある場合（ステップＳ８１３：Ｙｅｓ）は、移動通信端末２００は、ステップＳ８１５へ移行する。
【０１０４】
ステップＳ８１３において、合致するパターンがない場合（ステップＳ８１３：Ｎｏ）は、移動通信端末２００は、状況パターン特定用テーブル２４１に、現在の状況を示す新規状況パターンを追加する（ステップＳ８１４）。たとえば、移動通信端末２００は、状況パターン特定用テーブル２４１に、現在の状況テーブル２４３の内容を新規状況パターンとして追加する。
【０１０５】
つぎに、移動通信端末２００は、セル選択・パラメータ補正パターンテーブル２４２のうちの現在の状況と合致するパターンにパラメータＸ／Ｙ補正を追加し（ステップＳ８１５）、図８に示す一連の処理を終了する。ステップＳ８１５において、移動通信端末２００は、たとえばセル切り替えを抑制する方向のパラメータＸ／Ｙ補正を追加する。これにより、測定可能セル数が多い状況における頻繁なセル切り替えを回避することができる。
【０１０６】
また、ステップＳ８１５において、ステップＳ８１２と同様に、セル選択・パラメータ補正パターンテーブル２４２のうちの現在の状況と合致するパターンに、切り替え先のセルを在圏指定セルとして追加してもよい。
【０１０７】
図９は、在圏安定確認処理の変形例を示すフローチャートである。移動通信端末２００は、図６に示したステップＳ６１５の在圏安定確認処理として、たとえば図９に示す各ステップを実行してもよい。図９に示すステップＳ９０１〜Ｓ９０３は、図８に示したステップＳ８０１〜Ｓ８０３と同様である。
【０１０８】
ステップＳ９０３のつぎに、移動通信端末２００は、セル選択・パラメータ補正パターンテーブル２４２のうちの現在の状況と合致するパターンにパラメータＸ／Ｙ補正を追加する（ステップＳ９０４）。この場合に、移動通信端末２００は、たとえばセル切り替えを抑制する方向のパラメータＸ／Ｙ補正を追加する。これにより、再度同じ状況になった際にセル切り替えを抑制することができる。ステップＳ９０５〜Ｓ９１５は、図８に示したステップＳ８０５〜Ｓ８１５と同様である。
【０１０９】
（各テーブルの集約および配信）
図１０Ａは、各テーブルの集約の一例を示す図である。図１０Ａに示す通信システム１０００は、移動通信端末１０１１〜１０１４と、サーバ１０２０と、を含む。移動通信端末１０１１〜１０１４のそれぞれは、たとえば上述した移動通信端末２００である。移動通信端末１０１１〜１０１４のそれぞれは、自端末が記憶している状況パターン特定用テーブル２４１およびセル選択・パラメータ補正パターンテーブル２４２をサーバ１０２０へ送信する。
【０１１０】
状況パターン特定用テーブル２４１およびセル選択・パラメータ補正パターンテーブル２４２の送信は、たとえば周期的に行われる。また状況パターン特定用テーブル２４１およびセル選択・パラメータ補正パターンテーブル２４２の送信は、たとえば移動通信端末１０１１〜１０１４がそれぞれ接続している基地局装置を介して行われる。
【０１１１】
サーバ１０２０は、移動通信端末１０１１〜１０１４から受信した状況パターン特定用テーブル２４１およびセル選択・パラメータ補正パターンテーブル２４２を集約（マージ）する。たとえば、サーバ１０２０は、移動通信端末１０１１〜１０１４から受信した状況パターン特定用テーブル２４１のパターンを合わせた状況パターン特定用テーブル２４１を作成する。このとき、サーバ１０２０は、同一のパターンが含まれていた場合は重複分のパターンを削除してもよい。
【０１１２】
同様に、サーバ１０２０は、移動通信端末１０１１〜１０１４から受信したセル選択・パラメータ補正パターンテーブル２４２のパターンを合わせたセル選択・パラメータ補正パターンテーブル２４２を作成する。このとき、サーバ１０２０は、同一のパターンが含まれていた場合は重複分のパターンを削除してもよい。
【０１１３】
図１０Ｂは、各テーブルの配信の一例を示す図である。図１０Ｂにおいて、図１０Ａに示した部分と同様の部分については同一の符号を付して説明を省略する。サーバ１０２０は、集約した状況パターン特定用テーブル２４１およびセル選択・パラメータ補正パターンテーブル２４２を移動通信端末１０１１〜１０１４へ配信する。これに対して、移動通信端末１０１１〜１０１４は、サーバ１０２０から配信された状況パターン特定用テーブル２４１およびセル選択・パラメータ補正パターンテーブル２４２を記憶部２４０に記憶して用いる。
【０１１４】
これにより、移動通信端末１０１１〜１０１４のそれぞれは、自端末と異なる移動通信端末２００における状況パターン特定用テーブル２４１およびセル選択・パラメータ補正パターンテーブル２４２も合わせて用いることができる。このため、電波状態が不安定なセルへの切り替えを効率よく抑制し、スループットの低下を抑えることができる。
【０１１５】
サーバ１０２０による状況パターン特定用テーブル２４１およびセル選択・パラメータ補正パターンテーブル２４２の配信は、たとえば周期的に行われる。また、サーバ１０２０による状況パターン特定用テーブル２４１およびセル選択・パラメータ補正パターンテーブル２４２の配信は、たとえば移動通信端末１０１１〜１０１４がそれぞれ接続している基地局装置を介して行われる。
【０１１６】
＜性能に応じたパラメータ＞
この場合に、たとえば、状況パターン特定用テーブル２４１およびセル選択・パラメータ補正パターンテーブル２４２の判断要素に、移動通信端末２００の性能を示すパラメータ（たとえば機種）を加えてもよい。これにより、自端末とは性能（たとえば受信特性）が異なる端末についてのパターンには該当しないようにし、電波状態が不安定なセルへの切り替えを精度よく抑制することができる。
【０１１７】
＜性能ごとの集約および配信＞
また、サーバ１０２０は、移動通信端末１０１１〜１０１４から受信した状況パターン特定用テーブル２４１およびセル選択・パラメータ補正パターンテーブル２４２の集約を、移動通信端末の性能ごと（たとえば機種ごと）に行ってもよい。この場合は、サーバ１０２０は、状況パターン特定用テーブル２４１およびセル選択・パラメータ補正パターンテーブル２４２の配信も移動端末の性能ごとに行う。
【０１１８】
これにより、電波状態が不安定なセルへの切り替えを精度よく抑制できる状況パターン特定用テーブル２４１およびセル選択・パラメータ補正パターンテーブル２４２を用いることができる。また、移動通信端末１０１１〜１０１４のそれぞれにおいて、自端末とは性能が異なる端末のパターンについては記憶しないようにすることができるため、記憶する各テーブルのデータサイズを小さくすることができる。
【０１１９】
たとえば、移動通信端末１０１１，１０１２が第１機種（同じ性能）であり、移動通信端末１０１３，１０１４が第１機種とは異なる第２機種であるとする。この場合は、サーバ１０２０は、移動通信端末１０１１，１０１２から受信した状況パターン特定用テーブル２４１およびセル選択・パラメータ補正パターンテーブル２４２を集約して移動通信端末１０１１，１０１２を宛先として配信する。また、サーバ１０２０は、移動通信端末１０１３，１０１４から受信した状況パターン特定用テーブル２４１およびセル選択・パラメータ補正パターンテーブル２４２を集約して移動通信端末１０１３，１０１４を宛先として配信する。
【０１２０】
移動通信端末１０１１，１０１２は、サーバ１０２０から移動通信端末１０１１，１０１２を宛先として配信された状況パターン特定用テーブル２４１およびセル選択・パラメータ補正パターンテーブル２４２を受信して記憶する。移動通信端末１０１３，１０１４は、サーバ１０２０から移動通信端末１０１３，１０１４を宛先として配信された状況パターン特定用テーブル２４１およびセル選択・パラメータ補正パターンテーブル２４２を受信して記憶する。
【０１２１】
このように、実施の形態２によれば、切り替え先のセルの電波状態が不安定だった場合に各種の状況を記憶しておき、再度同じ状況になった際にセル切り替えを抑制することができる。これにより、電波状態が不安定なセルへの切り替えを抑制し、スループットの低下を抑えることができる。
【０１２２】
なお、一度の安定在圏により状況パターンおよび補正パターンを更新する場合について説明したが、たとえば、安定在圏が一定の期間内（１週間、１ヶ月など）に一定の回数ｎを超えて発生した場合に状況パターンおよび補正パターンを更新するようにしてもよい。これにより、切り替え先のセルの電波状態が不安定となる状況をより精度よく記憶することができる。また、頻繁な更新による処理量の増加を抑えることができる。
【０１２３】
たとえば、移動通信端末２００は、在圏除外セルの登録において、在圏に失敗した場合は、直ちに在圏除外セルに登録するのではなく、先にパラメータＸ／Ｙ補正による当該セルへの在圏回避を試みる。そして、移動通信端末２００は、パラメータＸ／Ｙ補正した上で再度当該セルへの在圏を試みて失敗した場合は、当該セルを在圏除外セルに登録する。
【０１２４】
また、実施の形態２において、状況パターン特定用テーブル２４１とセル選択・パラメータ補正パターンテーブル２４２を用いる場合について説明したが、状況パターン特定用テーブル２４１とセル選択・パラメータ補正パターンテーブル２４２を統合してもよい。すなわち、移動通信端末２００は、判断要素（および優先順位）と、補正パターン、適用有無および補正データと、を直接対応付けるテーブルを用いてもよい。
【０１２５】
以上説明したように、端末装置およびシステムによれば、スループットの低下を抑えることができる。
【０１２６】
たとえば、従来、移動通信端末は、複数のセルを切り替えながら通信する上で、切り替えが多発して通信が不安定になることを防ぐために、セルを切り替えるに当たってパラメータＸ／Ｙを用いている。パラメータＸ／Ｙは、基地局周辺の電波状態などを予測し、あるいは実際に測定した上で設定され、基地局から報知情報として端末に通知される。
【０１２７】
しかしながら、たとえば、端末の高度（地上高）や、新しい高層建物の建築による反射波発生などにより、パラメータＸ／Ｙの決定時には影響していなかったセルの電波が端末まで届く場合がある。
【０１２８】
また、近年、スマートフォンの普及に伴うデータトラフィック増大の対策として、出力が小さくサービスエリアの狭いフェムトセルなどの基地局を密に設置するケースが増えている。このようなケースが増えるにつれ、複数のセルの電波がセル配置設計の想定を超えて届くケースが想定される。
【０１２９】
また、上述のようにサービスエリアの狭い基地局が多く存在すると、複数セル間の切り替えが多発する場合があり、通信の効率が低くなる場合がある。また、鉄筋などの建物の構造や方角などにより、設計上その位置をカバーすべきセルの電波が減衰し、パラメータＸ／Ｙの条件を満たしてしまうと、セル配置設計上は意図していないセルに切り替わってしまう場合がある。
【０１３０】
このように、パラメータＸ／Ｙがユーザの周辺環境によって最適な値とならない場合に、複数のセルへ切り替えを繰り返した結果、通信が不安定になり切断される場合がある。一方、パラメータＸ／Ｙは基地局より指定されており、また特定のセルの電波が届く全ての空間地点について最適なパラメータを報知することは困難であるため、ユーザの環境に対して最適なパラメータＸ／Ｙが適用できるとは限らない。
【０１３１】
これに対して、上述した各実施の形態においては、状況パターンとセル選択・パラメータ補正パターンを組み合わせて、端末の状況に合わせて、パラメータＸ／Ｙや切り替え先のセルを調整することができる。不必要なセル切り替えを抑え、通信を安定させることができる。
【０１３２】
上述した各実施の形態に関し、さらに以下の付記を開示する。
【０１３３】
（付記１）自装置の接続セルの切り替えの後に、切り替え先のセルの電波状態が不安定であることを検出する検出部と、
前記検出部によって前記電波状態が不安定であることが検出されたときの状況を示す状況情報を記憶する記憶部と、
自装置の状況が、前記記憶部によって記憶された前記状況情報が示す状況となった場合に、前記接続セルの切り替えを抑制する制御を行う制御部と、
を備えることを特徴とする端末装置。
【０１３４】
（付記２）前記制御部は、自装置が接続中の第１セルの電界強度より、前記第１セルとは異なる第２セルの電界強度が第１閾値以上高い状態の継続時間が第２閾値以上となると、前記接続セルの前記第２セルへの切り替えを実行し、
前記接続セルの切り替えを抑制する制御は、前記第１閾値および前記第２閾値の少なくともいずれかを増加させる制御である、
ことを特徴とする付記１に記載の端末装置。
【０１３５】
（付記３）前記状況情報は、前記切り替え先のセルを含み、
前記接続セルの切り替えを抑制する制御は、自装置の接続セルの切り替えにおいて、切り替え先のセルの候補から前記記憶部に記憶された前記切り替え先のセルを除外する制御である、
ことを特徴とする付記１または２に記載の端末装置。
【０１３６】
（付記４）前記検出部は、前記接続セルの切り替えの失敗を検出し、
前記記憶部は、前記検出部によって前記失敗が検出されたときの状況を示す状況情報を記憶する、
ことを特徴とする付記１〜３のいずれか一つに記載の端末装置。
【０１３７】
（付記５）前記検出部は、前記接続セルの切り替えの後に、切り替え先のセルの電波状態が安定していることを検出し、
前記記憶部は、前記検出部によって前記電波状態が安定していることが検出されたときの状況を示す状況情報と前記切り替え先のセルとを対応付けて記憶し、
前記制御部は、自装置の状況が、前記電波状態が安定していることが検出されたときの状況を示す状況情報が示す状況となった場合に、前記電波状態が安定していることが検出されたときの状況を示す状況情報と対応付けて前記記憶部によって記憶されたセルに前記接続セルを切り替える、
ことを特徴とする付記１〜４のいずれか一つに記載の端末装置。
【０１３８】
（付記６）前記記憶部は、前記状況情報（以下、「第１状況情報」とする。）と、他の端末装置が、接続セルの切り替えの後に、切り替え先のセルの電波状態が不安定であることを検出したときの状況を示す第２状況情報と、を記憶することを特徴とする付記１〜５のいずれか一つに記載の端末装置。
【０１３９】
（付記７）前記第２状況情報をサーバから受信する受信部と、
前記第１状況情報を前記サーバへ送信する送信部と、
を備え、
前記記憶部は、前記受信部によって受信された前記第２状況情報を記憶する、
ことを特徴とする付記６に記載の端末装置。
【０１４０】
（付記８）前記記憶部は、端末装置の性能を示すパラメータが自端末と同じ前記他の端末装置についての前記第２状況情報を記憶し、前記パラメータが自端末と異なる前記他の端末装置についての前記第２状況情報は記憶しないことを特徴とする付記６または７に記載の端末装置。
【０１４１】
（付記９）前記記憶部は、前記状況情報と、前記状況情報に対応する前記接続セルの切り替えを抑制する制御の内容と、を対応付けて記憶し、
前記制御部は、自装置の状況が、前記記憶部によって記憶された前記状況情報が示す状況となった場合に、該当する前記状況情報に対応付けられた前記制御を行う、
ことを特徴とする付記１〜８のいずれか一つに記載の端末装置。
【０１４２】
（付記１０）前記制御部は、自装置の状況が、複数の前記状況情報に該当した場合に、前記複数の状況情報に対応する各制御を行うことを特徴とする付記９に記載の端末装置。
【０１４３】
（付記１１）前記制御部は、前記複数の状況情報に対応する各制御によるパラメータの合計変化量が上限量を超える場合は、前記パラメータを前記上限量だけ変化させることを特徴とする付記１０に記載の端末装置。
【０１４４】
（付記１２）無線通信が可能なセルを形成する基地局装置と、
前記基地局装置への自装置の接続セルの切り替えの後に、切り替え先のセルの電波状態が不安定であることを検出したときの状況を示す状況情報を記憶し、自装置の状況が、前記状況情報が示す状況となった場合に、前記接続セルの切り替えを抑制する制御を行う端末装置と、
を含むことを特徴とするシステム。
【０１４５】
（付記１３）自装置の接続セルの切り替えの後に、切り替え先のセルの電波状態が安定しており、かつ自装置の周辺セルの数が所定数以上であることを検出する検出部と、
前記電波状態が安定しており、かつ自装置の周辺セルの数が所定数以上であることが前記検出部によって検出されたときの状況を示す状況情報を記憶する記憶部と、
自装置の状況が、前記記憶部によって記憶された前記状況情報が示す状況となった場合に、前記接続セルの切り替えを抑制する制御を行う制御部と、
を備えることを特徴とする端末装置。
【０１４６】
（付記１４）無線通信が可能なセルを形成する基地局装置と、
前記基地局装置への自装置の接続セルの切り替えの後に、切り替え先のセルの電波状態が安定しており、かつ自装置の周辺セルの数が所定数以上であることを検出したときの状況を示す状況情報を記憶し、自装置の状況が、前記状況情報が示す状況となった場合に、前記接続セルの切り替えを抑制する制御を行う端末装置と、
を含むことを特徴とするシステム。
【符号の説明】
【０１４７】
１００  システム
１１０  端末装置
１１１  検出部
１１２，２４０  記憶部
１１３  制御部
１２０  基地局装置
２００，１０１１〜１０１４  移動通信端末
２１０  通信部
２２０  位置情報取得部
２３０  表示操作部
２４１  状況パターン特定用テーブル
２４２  セル選択・パラメータ補正パターンテーブル
２４３  状況テーブル
２５０  通信装置
２５１  ＣＰＵ
２５２  メモリ
２５３  ユーザインタフェース
２５４  無線通信インタフェース
２５５  ＧＰＳユニット
２５９  バス
１０００  通信システム
１０２０  サーバ
【図１Ａ】
2015211451.tif 000003
【図１Ｂ】
2015211451.tif 000004
【図２Ａ】
2015211451.tif 000005
【図２Ｂ】
2015211451.tif 000006
【図３】
2015211451.tif 000007
【図４】
2015211451.tif 000008
【図５】
2015211451.tif 000009
【図６】
2015211451.tif 000010
【図７】
2015211451.tif 000011
【図８】
2015211451.tif 000012
【図９】
2015211451.tif 000013
【図１０Ａ】
2015211451.tif 000014
【図１０Ｂ】
2015211451.tif 000015